(57)【特許請求の範囲】
【請求項１】
映像信号に基づき照明光を空間変調して複数の色成分の投影用の光学画像を形成する複数のライトバルブと、上記照明光を生成する光源手段と、上記ライトバルブとスクリーンとの間に設けられ、上記光学画像を上記スクリーンに投影する投影光学系と、上記投影光学系の絞り位置に設けられ、絞り面の有効な光束通過領域の半分の領域を通過して上記ライトバルブに入射するように、上記光源手段からの照明光を反射する反射部材と、上記投影光学系と上記ライトバルブとの間に設けられ、上記照明光を上記複数の色成分の光束に分解して対応するライトバルブに照射するとともに、上記ライトバルブで形成された各色成分の光学画像を合成する色分解合成手段と、上記色分解合成手段と上記ライトバルブとの間に設けられ、色分解された照明光の光束に含まれる不要な波長の光束を反射させて除去する色補正フィルタとを備えた像投影装置であって、上記色補正フィルタは、上記不要な波長の光束を上記照明光の入射光路と同一の光路に正反射させるように、上記ライトバルブのパネル面に対して所定の角度だけ傾斜させて設けられていることを特徴とする像投影装置。
【発明の詳細な説明】
【０００１】
【発明の属する技術分野】
本発明は、スクリーン上に光学画像を拡大投影する像投影装置に係り、特に投影画像のゴーストの原因となる照明光の不要な成分を除去する光学系に関するものである。
【０００２】
【従来の技術】
従来、映像信号に基づきライトバルブで照明光を空間変調して投影用の光学画像を形成し、この光学画像を投影レンズでスクリーン上に拡大投影する像投影装置において、照明光の不要な成分を除去する光学系が提案されている。
【０００３】
例えば実公平５−３５３８３号公報には、Ｒ，Ｇ，Ｂの各色成分の光学画像を形成する液晶ライトバルブのパネル面の前方位置に楔形のフィルタ部材を配置し、このフィルタ部材で各液晶ライトバルブの照明光として不要な成分の光束を反射・除去する像投影装置が示されている。
【０００４】
【発明が解決しようとする課題】
上記実公平５−３５３８３号公報に記載の像投影装置は、楔形のフィルタ部材を用いて不要な成分の光束を投影レンズの光路外に反射しているので、フィルタ部材の反射面の傾斜角が大きく、投影画像に与える非点収差の影響が大きい。また、フィルタ部材の配置スペースが大きく、投影レンズ系が大型化する。更に投影レンズの鏡胴内で不要な成分の光束が複雑に反射して投影光に悪影響を与える迷光を生じる可能性もある。
【０００５】
本発明は、上記課題に鑑みてなされたものであり、コンパクトな構成で確実に照明光の不要な成分を除去し、色再現性の高い投影画像が得られる像投影装置を提供するものである。
【０００６】
【課題を解決するための手段】
本発明は、映像信号に基づき照明光を空間変調して複数の色成分の投影用の光学画像を形成する複数のライトバルブと、上記照明光を生成する光源手段と、上記ライトバルブとスクリーンとの間に設けられ、上記光学画像を上記スクリーンに投影する投影光学系と、上記投影光学系の絞り位置に設けられ、絞り面の有効な光束通過領域の半分の領域を通過して上記ライトバルブに入射するように、上記光源手段からの照明光を反射する反射部材と、上記投影光学系と上記ライトバルブとの間に設けられ、上記照明光を上記複数の色成分の光束に分解して対応するライトバルブに照射するとともに、上記ライトバルブで形成された各色成分の光学画像を合成する色分解合成手段と、上記色分解合成手段と上記ライトバルブとの間に設けられ、色分解された照明光の光束に含まれる不要な波長の光束を反射させて除去するの色補正フィルタとを備えた像投影装置であって、上記色補正フィルタは、上記不要な波長の光束を上記照明光の入射光路と同一の光路に正反射させるように、上記ライトバルブのパネル面に対して所定の角度だけ傾斜させて設けられているものである。
【０００７】
上記構成によれば、光源手段から放射された照明光の光束は、反射部材で投影レンズの光軸と平行な方向に反射され、絞り面の有効な光束通過領域の半分の領域を通過して色分解合成手段に照射される。照明光は、色分解合成手段により、例えばＲ，Ｇ，Ｂの色成分の光束に分解されてそれぞれ対応するライトバルブに入射される。色分解合成手段から出射された各色の光束は、色補正フィルタにより当該色に不要な色成分の光束が反射・除去され、必要な色成分の光束のみが透過されて対応するライトバルブに入射される。不要な色成分の光束は、色補正フィルタで正反射され、照明光の入射光路と同一の光路を逆に進行して光源手段側に戻され、これにより投影光への混入が確実に防止される。
【０００８】
照明光の照射により各ライトバルブで投影用のＲ，Ｇ，Ｂの色成分の光学画像が形成され、この光学画像を構成する各色成分の光束は、色分解合成手段に入射され、色合成された後、投影光学系に出射される。そして、この投影光学系の絞り位置に一旦、集光された後、絞り面の照明光が通過しない領域を通過してスクリーン側に拡大投影される。
【０００９】
【発明の実施の形態】
図１は、本発明に係る像投影装置の光学系の第１の実施形態を示す図である。像投影装置１は、映像信号からなる投影像を光学画像（Ｒ，Ｇ，Ｂ，の３原色の分光画像）に変換する光学像形成部２、光学画像を生成するべく光学像形成部２を照明する照明光を発生する照明光学系３、この照明光学系３からの照明光をＲ，Ｇ，Ｂの３原色の光に分光して光学像形成部２に照射するとともに、この照明光の照射により形成された各色の光学画像を合成して投影像を生成する光学像合成部４及びこの光学像合成部４で生成された投影像をスクリーン６に投影する投影光学系５から構成されている。
【００１０】
光学像形成部２は、３個の反射型液晶ライトバルブ（以下、単にライトバルブという。）２０１，２０２，２０３と色補正フィルタ２０４，２０５とから構成されている。ライトバルブ２０１，２０２，２０３は、それぞれＲ，Ｇ，Ｂの各色の電気画像からなる投影像を光学画像に変換するものである。また、色補正フィルタ２０４，２０５は、それぞれＲ，Ｇの各色成分に対して不要な色成分を除去するものである。
【００１１】
照明光学系３は、光源３０１、リフレクタ３０２、カライドスコープ３０３、リレー光学系３０４及び全反射ミラー３０５により構成されている。光源３０１は、例えばメタルハライドランプからなり、例えば図２に示す発光スペクトル特性を有する白色光（ランダム偏光光）を発光するものである。なお、光源３０１としてハロゲンランプやキセノンランプを用いてもよい。リフレクタ３０２は、光源３０１から放射された光束をカライドスコープ３０３側に反射するための回転楕円鏡からなる反射板である。光源３０１は、リフレクタ３０２の反射板内にある焦点位置に配置され、カライドスコープ３０３は、リフレクタ３０２の回転軸Ａ上に、その入射面３０３ａをリフレクタ３０２の反射板外の焦点位置に一致させて配置されている。従って、光源３０１から放射された光束の内、回転軸Ａに平行な成分は、直接、カライドスコープ３０３の入射面３０３ａに入射し、リフレクタ３０２に向かって放射された光束は、その反射面でリフレクタ３０２外の焦点位置に向かって反射され、開口部３０２ａから放出された後、カライドスコープ３０３の入射面３０３ａに入射する。
【００１２】
カライドスコープ３０３は、例えば内周面全体が反射面で構成された四角柱状の筒体や円柱状のガラス体からなるロッド棒で構成され、一方端から入射した光束を内周面で全反射させつつ他方端から出射するオプティカルインテグレータである。カライドスコープ３０３により光源３０２からの光束は、等価的にその入射面３０３ａに複数の点光源からなる二次光源に変換される。
【００１３】
カライドスコープ３０３は、その入射面３０３ａがリレー光学系３０４及び全反射ミラー３０５の光学作用により投影光学系５の絞り位置Ｐと共役な関係となるように、また、その出射面３０３ｂがリレー光学系３０４及び投影光学系５の後群５０２の光学作用によりライトバルブ２０１〜２０３と共役な関係となるように配置されている。従って、カライドスコープ３０３で形成された二次光源に基づきリレー光学系３０４及び全反射ミラー３０５の光学作用により投影光学系５の絞り位置Ｐに、二次光源像が形成される。
【００１４】
なお、カライドスコープ３０３に代えて、例えば図４に示すように、第１レンズアレイ３０６及び第２レンズアレイ３０７を組み合わせてオプティカルインテグレータを構成してもよい。
【００１５】
同図に示す像投影装置１では、第２レンズアレイ３０７は、リフレクタ３０２及び第１レンズアレイ３０６の光学作用により光源３０１と共役な関係にあり、重ね合わせレンズ３０８、リレー光学系３０４及び全反射ミラー３０５の光学作用により投影レンズ５の絞り位置Ｐと共役な関係にある。また、第１レンズアレイ３０６は、第２レンズアレイ３０７、重ね合わせレンズ３０８、リレー光学系３０４及び投影レンズ５の後群５０２の光学作用によりライトバルブ２０１，２０２，２０３と共役な関係にある。
【００１６】
光源３０１及びリフレクタ３０２から照射された光束は、第１レンズアレイ３０６で複数の光束に分割され、レンズセル３０６ａの光軸上に二次光源を生成し、これらの二次光源が重ね合わせレンズ３０８、リレー光学系３０４及び全反射ミラー３０５を介して投影光学系５の絞り位置Ｐに結像され、絞り面に二次光源像を形成するようになっている。
【００１７】
図１に戻り、リレー光学系３０４は、カライドスコープ３０３で形成された二次光源の光源像を投影光学系５の絞り位置Ｐに結像するものである。また、全反射ミラー３０５は、投影光学系５の絞り位置Ｐの近傍に設けられ、投影光学系５の絞りの有効な光束通過領域の半分の領域（図１では左半分の領域）を通過させるように、リレー光学系３０４を透過した照明光を反射させて光学像形成部２に導くものである。
【００１８】
光学像合成部４は、４個の直角プリズム４０１，４０２，４０３，４０４を直角を挟む面で互いに接合したプリズム型のクロスダイクロイックミラーで構成されている。接合面４０５，４０６には、可視光の内、略５８０ｎｍ以上の波長の光束を反射し、その他の波長の光束を透過するダイクロイック多層膜が蒸着され、接合面４０７，４０８には、可視光の内、略５１０ｎｍ以下の波長の光束を反射し、その他の波長の光束を透過するダイクロイック多層膜が蒸着されている。直角プリズム４０１〜４０３の各傾斜面４０１ａ〜４０３ａは、それぞれＲ，Ｇ，Ｂの色成分の照明光の出射面であるとともに、ライトバルブ２０１，２０２，２０３で形成されたＲ，Ｇ，Ｂの光学画像の投影光の入射面となっている。また、直角プリズム４０４の傾斜面４０４ａは、投影光学系５の後群５０２を介して入射される照明光の入射面であるとともに、クロスダイクロイックミラー４で合成されたＲ，Ｇ，Ｂの光学画像の投影光の出射面となっている。
【００１９】
色補正フィルタ２０４は、上述のようにＲの色成分に不要な波長の成分を除去するフィルタで、５９０ｎｍ以上の波長の光束を透過するフィルタ特性（図２の帯域Ｋ２参照）を有している。また、色補正フィルタ２０５は、上述のようにＧの色成分に不要な波長の成分を除去するフィルタで、５１０〜５７０ｎｍの波長の光束を透過するフィルタ特性（図２の帯域Ｋ１参照）を有している。図２に示す色補正フィルタ２０４，２０５のフィルタ特性から明らかなように、両色補正フィルタ２０４，２０５は、光源３０１から放射される白色光の主として水銀による略５８０ｎｍの輝線スペクトルＵのライトバルブ２０１，２０２への透過を阻止し、Ｒ及びＧの各色成分の光学画像の色調のずれを防止するものである。
【００２０】
色補正フィルタ２０４，２０５は、フィルタリングした不要な光束が投影光学系５の投影光の光路側に反射され、投影光学系５を介してスクリーン６に照射されないように、図３に示すように、ライトバルブ２０１，２０２のパネル面に対して傾斜して配置されている。すなわち、色補正フィルタ２０４は、ライトバルブ２０１のパネル面に平行な面Ｎに対して所定の角度α°だけ下端側がダイクロイックミラー４に近接するように傾斜させて設けられ、色補正フィルタ２０５は、ライトバルブ２０１のパネル面に平行な面Ｍに対して所定の角度α°だけ右端側がダイクロイックミラー４に近接するように傾斜させて設けられている。なお、図３において、照明光の光束は実線で示し、投影光の光束は点線で示している。
【００２１】
今、ライトバルブ２０２のパネル面の中心に左前方から斜めに入射してくる照明光の光束７を例に説明すると、光束７がダイクロイックミラー４内に入射すると、光束７に含まれる略５８０ｎｍ以上の波長の光束（赤色成分の光束）は、接合面４０５に形成されたダイクロイック膜によりライトバルブ２０１側に反射され、直角プリズム４０１の出射面４０１ａから出射される。この出射光は、色補正フィルタ２０４に対して垂直に入射し、５９０ｎｍ以上の長い波長の光束は、色補正フィルタ２０４を透過してライトバルブ２０１のパネル面に入射され、略５８０〜５９０ｎｍ波長の光束は、色補正フィルタ２０４で正反射される（矢印Ｑ１参照）。
【００２２】
また、光束７に含まれる略５１０〜５８０ｎｍの波長の光束（緑色成分の光束）は、接合面４０５，４０８に形成されたダイクロイック膜を透過し、直角プリズム４０２の出射面４０２ａから出射される。この出射光は、色補正フィルタ２０５に対して垂直に入射し、５１０〜５７０ｎｍの波長の光束は、色補正フィルタ２０５を透過してライトバルブ２０２のパネル面に入射され、略５７０〜５８０ｎｍ波長の光束は、色補正フィルタ２０５で正反射される（矢印Ｑ２参照）。
【００２３】
従って、色補正フィルタ２０４，２０５で反射された略５７０〜５９０ｎｍの波長の不要な光束は、クロスダイクロイックミラー４に入射されるが、照明光の入射光路を逆方向に進行し、クロスダイクロイックミラー４の入射面４０４ａから光束７と逆方向に出射され、更に投影光学系５を照明光の光路を逆に進行して照明光学系３に戻される。このため、照明光の不要な成分の光束がスクリーン６に照射されることはない。
【００２４】
一方、ダイクロイックミラー４内に入射した光束７のうち、５１０ｎｍ以下の短い波長の光束（青色成分の光束）は、接合面４０８に形成されたダイクロイック膜によりライトバルブ２０３側に反射され、直角プリズム４０３の出射面４０３ａから出射される。この出射光は、ライトバルブ２０３に斜め入射され、この青色成分の光束の照射によりライトバルブ２０３で形成された光学画像を構成する光束（投影光の光束）は、ライトバルブ２０３のパネル面を所定の反射角で反射して、出射面４０３ａから再度、ダイクロイックミラー４内に入射される。
【００２５】
青色成分の投影光の光束は、接合面４０５に形成されたダイクロイック膜を透過した後、接合面４０７に形成されたダイクロイック膜で投影光学系５側に反射され、入射面４０４ａから光軸Ｌに対して照明光の光束７と対称に同一の傾斜角で出射される。
【００２６】
また、ライトバルブ２０１では、５９０ｎｍ以上の長い波長の光束（赤色成分の光束）の照射により赤色成分の光学画像が形成され、この光学画像を構成する光束（投影光の光束）は、ライトバルブ２０１のパネル面を所定の反射角で反射して出射面４０１ａから再度、ダイクロイックミラー４内に入射される。赤色成分の投影光の光束は、接合面４０６に形成されたダイクロイック膜で投影光学系５側に反射され、接合面４０７に形成されたダイクロイック膜を透過して入射面４０４ａの青色成分の光束の出射点から光軸Ｌに対して照明光の光束７と対称に同一の傾斜角で出射される。また、ライトバルブ２０２では、５１０〜５７０ｎｍの波長の光束（緑色成分の光束）の照射により緑色成分の光学画像が形成され、この光学画像を構成する光束（投影光の光束）は、ライトバルブ２０２のパネル面を所定の反射角で反射して出射面４０２ａから再度、ダイクロイックミラー４内に入射される。緑色成分の投影光の光束は、接合面４０６，４０７に形成されたダイクロイック膜を透過し、入射面４０４ａの青色成分の光束の出射点から光軸Ｌに対して照明光の光束７と対称に同一の傾斜角で出射される。
【００２７】
従って、Ｒ，Ｇ，Ｂの色成分の投影光の光束は、クロスダイクロイックミラー４内で混合され、この混合光が入射面４０４ａから光軸Ｌに対して照明光の光束７と対称に同一の傾斜角度で出射される（図３の光束８参照）。そして、この出射された投影光の光束８は、投影光学系５よりスクリーン６に導かれる。
【００２８】
上記のように、本実施の形態では、色補正フィルタ２０４，２０５を、反射除去すべき不要な成分の光束がフィルタ面で反射した後、照明光の入射光路と同一の光路上を逆に進行し得るように、ライトバルブ２０１，２０２のパネル面に対して所定の角度で所定の方向に傾斜させているので、フィルタ面で反射した不要な成分の光束が投影光の光路と平行に進行してスクリーン６に照射されること（すなわち、図３で不要な成分の光束９が生じて投影光として出射されること）が確実に防止され、投影画像に不要な成分の光束によるゴースト画像が生じることがないようにしている。
【００２９】
投影光学系５は、例えば図５に示すような、２群構成のテレセントリック系の投影レンズで構成されている。テレセントリック系では後群５０２の前側焦点が投影レンズ５の絞り位置Ｐとなるので、全反射ミラー３０５は、一方端を投影レンズ５の光軸Ｌと絞り位置Ｐとの交点Ｏに略一致させ、光軸Ｌに対して角度４５°で前群５０１側に傾斜させて設けられている。また、投影レンズ５は、光学像合成部４に対して、絞り位置Ｐに結像される光源像が後群５０２、クロスダイクロイックミラー４を透過し、ライトバルブ２０１，２０２，２０３で反射した後、その反射光像（光学画像）が再び絞り位置に結像する関係（共役関係）となるように配置されている。
【００３０】
なお、図５に示す投影レンズ５の構成では、投影レンズ５の前群５０１と絞り位置Ｐとの間に全反射ミラー３０５を配置するためのスペースを必要とし、投影レンズ５が光軸Ｌの方向に長くなる。そこで、図６に示すように、全反射ミラー３０５を、一方端を投影レンズ５の光軸Ｌと絞り位置Ｐとの交点Ｏに略一致させ、光軸Ｌに対して角度４５°で後群５０２側に傾斜させて設けることにより投影レンズ５を光軸Ｌの方向に短くするようにしてもよい。
【００３１】
また、図５及び図６の光軸Ｌと全反射ミラー３０５の角度は、４５°に限定されるものではなく、投影レンズ５と照明光学系３とが配置上、干渉しない限り、任意の角度を設定することができる。また、図６においては、光軸Ｌと全反射ミラー３０５の角度を４５°より大きくすることで、絞り位置Ｐにおいて、絞り板等（図示せず）により照明光のけられを防止することができる。
【００３２】
テレセントリック系では後群５０２と投影レンズ５の絞り位置Ｐとの間に焦点距離ｆの距離を設ける必要があるので、図６に示す方法は、前群５０１と後群５０２との空間を全反射ミラー３０５の配置スペースとして有効に活用でき、投影レンズ５の小型化、コンパクト化が可能になる。また、全反射ミラー３０５を絞り位置Ｐから後群５０２側に配置すると、前群５０１を絞り位置Ｐに近づけることで、絞り位置Ｐから前群５０１側に配置したものよりもスクリーン６側に透過する投影光の光路の領域が狭くできるので、前群５０１を構成するレンズ径を小さくすることができ（図６の斜線部５０１ａを削減することができ）、更に投影レンズ５の小型化、コンパクト化が可能になる。
【００３３】
上記構成において、光源３０１から放射されたランダム偏光の光束は、一部がリフレクタ３０２の開口部３０２ａから直接に、また、残りの一部がリフクレタ３０２の反射面で反射されてカライドスコープ３０３の入射面３０３ａに入射される。カライドスコープ３０３に入射された照明光の光束は、スコープの周面で全反射を繰り返しながら軸方向に透過し、出射面３０３ｂから出射される。
【００３４】
カライドスコープ３０３はオプティカルインテグレータを構成し、カライドスコープ３０３の出射面３０３ｂから出射される光束は、等価的に入射面３０３ａに形成された複数の点光源からなる二次光源からの光束を重ね合わせたものとなっている。そして、この光束は、リレー光学系３０４及び全反射ミラー３０５により投影レンズ５の絞り位置Ｐに導かれ、その位置に二次光源を形成する。投影レンズ５の絞り位置Ｐに二次光源を形成した照明光は、更に投影レンズ５の後群５０２に入射され、テレセントリック状態でクロスダイクロイックミラー４に出射される。
【００３５】
クロスダイクロイックミラー４に入射された照明光は、略５８０ｎｍ以上の波長の光束が接合面４０５，４０６で赤色のライトバルブ２０１側に直角に反射され、略５１０ｎｍ以下の波長の光束が接合面４０７，４０８で青色のライトバルブ２０３側に直角に反射され、５１０〜５８０ｎｍの波長の光束は接合面４０５〜４０８を透過する。
【００３６】
略５８０ｎｍ以上の波長の光束は、クロスダイクロイックミラー４の出射面４０１ａから出射されるが、５８０〜５９０ｎｍの光束は色補正フィルタ２０４で入射光路と同一方向に正反射され、クロスダイクロイックミラー４及び投影レンズ５により照明光学系３側に戻すことで除去され、５９０ｎｍより長い波長の光束のみが赤色のライトバルブ２０１に入射される。また、５１０〜５８０ｎｍの波長の光束は、クロスダイクロイックミラー４の出射面４０２ａから出射されるが、５７０〜５８０ｎｍの光束は色補正フィルタ２０５で入射光路と同一方向に正反射され、クロスダイクロイックミラー４及び投影レンズ５により照明光学系３側に戻すことで除去され、５１０〜５７０ｎｍの波長の光束のみが緑色のライトバルブ２０１に入射される。また、５１０ｎｍ以下の波長の光束は、クロスダイクロイックミラー４の出射面４０３ａから出射され、青色のライトバルブ２０３に入射される。
【００３７】
そして、Ｒ，Ｇ，Ｂの各色成分の照明光の照射によりＲ，Ｇ，Ｂの各色のライトバルブ２０１，２０２，２０３で電気画像が光学画像に変換され、この光学画像を構成する光束は、再びクロスダイクロイックミラー４に入射され、このクロスダイクロイックミラー４で色合成された後、投影レンズ５によりスクリーン６に投影される。
【００３８】
上記のように、色補正フィルタ２０４，２０５をクロスダイクロイックミラー４とライトバルブ２０１，２０２との間にそれぞれ傾斜させて配置し、Ｒ色領域とＧ色領域とに股がる不要な色成分の光束（略５８０ｎｍの光束）をそれぞれ照明光の入射光路と同一方向に反射して除去するようにしたので、この不要な色成分の光束がスクリーンに投影されて投影画像にゴーストが生じるようなことがない。また、不要な光束は、入射光路を逆に進行して照明光学系３側に返されるので、投影レンズ５の鏡胴等で迷光となることもない。また、不要な光束を投影レンズ５の鏡胴外に反射させる方法に比して色補正フィルタの傾斜角が小さいので、スクリーン６の投影画像に与える非点収差の影響が小さくなる。
【００３９】
また、色分解後に不要な色成分を除去するようにしているので、例えば色分解前に狭帯域反射ミラーを用いて不要な光束を除去するような構成に比して簡単な構成で容易に良好なフィルタ特性の色補正構造を得ることができる。
【００４０】
なお、本実施の形態では、図２に示すように、光源３０１の発光特性が赤領域と緑領域とに股がる不要な輝線スペクトルＵを有していたので、Ｒのライトバルブ２０１とＧのライトバルブ２０２とにだけそれぞれ色補正フィルタ２０４，２０５を設けてその輝線スペクトルＵを除去するようにしたものであり、光源３０１の発光特性が図２の特性と異なる場合は、その発光特性に応じてその発光特性に含まれる不要な色成分を除去するように、Ｒ，Ｇ，Ｂの各色のライトバルブ２０１〜２０３に対応して適宜の色補正フィルタを所定の角度で傾斜して設けるようにするとよい。
【００４１】
【発明の効果】
以上説明したように、本発明によれば、ライトバルブとスクリーン間に投影光学系と色分解合成手段とを設けるとともに、投影光学系の絞り位置に光源手段からの照明光をライトバルブ側に反射する反射部材を設け、この反射部材で導かれた照明光を色分解合成手段で所要の色成分に分解してそれぞれ対応するライトバルブに照射する反射型の像投影装置において、色分解合成手段とライトバルブとの間に、各ライトバルブの照明に不要な波長の光束を照明光の入射光路と同一の光路に正反射させるように、色補正フィルタをライトバルブのパネル面に対して所定の角度だけ傾斜させて設けたので、各色の投影光の色純度が向上し、色再現性の高い投影画像を得ることができる。
【００４２】
また、色補正フィルタの傾斜角を小さく設定できるので、投影光像に与える非点収差の影響が少なく、色分解合成手段、色補正フィルタ及び投影光学系からなる光学系をコンパクトに構成することができる。
【図面の簡単な説明】
【図１】本発明に係る像投影装置の光学系の第１の実施形態を示す図である。
【図２】照明光の発光スペクトル特性の一例を示す図である。
【図３】色補正フィルタの配置関係を示す図である。
【図４】第１及び第２レンズアレイでオプティカルインテグレータを構成した像投影装置の光学系を示す図である。
【図５】投影光学系内における全反射ミラーの配置関係の一例を示す図である。
【図６】投影光学系内における全反射ミラーの配置関係の他の例を示す図である。
【符号の説明】
１  像投影装置
２  光学像形成部
２０１，２０２，２０３  ライトバルブ
２０４，２０５  色補正フィルタ
３  照明光学系
３０１  光源（リフクタとで光源手段を構成）
３０２  リフレクタ
３０３  カライドスコープ
３０４  リレー光学系
３０５  全反射ミラー（反射部材）
３０６  第１レンズアレイ
３０７  第２レンズアレイ
３０８  重ね合わせレンズ
４  光学像合成部（色分解合成手段）
４０１，４０２，４０３，４０４  直角プリズム
５  投影レンズ（投影光学系）
５０１  前群
５０２  後群
６  スクリーン
７  照明光の光束
８  投影光の光束
【図１】
0003588990.tif 000002
【図２】
0003588990.tif 000003
【図３】
0003588990.tif 000004
【図４】
0003588990.tif 000005
【図５】
0003588990.tif 000006
【図６】
0003588990.tif 000007